(57)【要約】【課題】ユーザーの利便性を向上する。【解決手段】サーバー装置７は、画像形成装置１００と通信可能に接続され、受付部７０１と、第１判定部７０２と、算出部７０３と、第２判定部７０４と、無償化部７０５とを備える。受付部７０１は、トナーコンテナ１３０の識別情報ＪＤを画像形成装置１００から受け付ける。第１判定部７０２は、識別情報ＪＤに基づいて、トナーコンテナ１３０が、第１コンテナＴＣ１であるか、第２コンテナＴＣ２であるかを判定する。算出部７０３は、第１コンテナＴＣ１を使用している期間ＰＤを算出する。第２判定部７０４は、期間ＰＤが所定期間ＰＤＡに到達したか否かを判定する。無償化部７０５は、画像形成装置１００において有償で使用することが可能な第１機能ＦＰ１を第２判定部７０４の判定結果に応じて無償で使用することを可能にする。【選択図】図３
2019075731.tif 000002
【特許請求の範囲】
【請求項１】
画像形成装置と通信可能に接続されたサーバー装置であって、
前記画像形成装置に装着された交換部品の識別情報を前記画像形成装置から受け付ける受付部と、
前記識別情報に基づいて、前記交換部品が、第１交換部品であるか前記第１交換部品と相違する第２交換部品であるかを判定する第１判定部と、
前記第１交換部品を使用している期間を算出する算出部と、
前記期間が所定期間に到達したか否かを判定する第２判定部と、
前記画像形成装置において有償で使用することが可能な第１機能を前記第２判定部の判定結果に応じて無償で使用することを可能にする無償化部と
を備え、
前記交換部品は、消耗品を収容し、
前記画像形成装置は、前記消耗品を消費することによって記録媒体に画像を形成する、サーバー装置。
【請求項２】
前記期間を、前記第１交換部品を連続して使用している期間を示す連続期間、又は前記第１交換部品を使用している期間の累積値を示す累積期間に設定する設定部を更に備える、請求項１に記載のサーバー装置。
【請求項３】
前記第１機能を有償で使用することを可能にする有償化部を更に備え、
前記期間が前記連続期間に設定されており、前記無償化部が、前記第１機能を無償で使用することを可能にした後に、前記交換部品が第２交換部品であると前記第１判定部が判定した場合に、前記有償化部は、前記第１機能を有償で使用することを可能にする、請求項２に記載のサーバー装置。
【請求項４】
前記画像形成装置はディスプレーを備え、
前記サーバー装置は前記ディスプレーに表示を指示する指示部を更に備え、
無償で使用することを可能にされた前記第１機能を、前記有償化部が有償で使用することを可能にする際に、前記指示部は、前記第１交換部品を使用すれば前記第１機能が無償で使用することが可能なままに維持される旨を前記ディスプレーに表示するように前記画像形成装置に指示する、請求項３に記載のサーバー装置。
【請求項５】
前記画像形成装置はディスプレーを備え、
前記サーバー装置は前記ディスプレーに表示を指示する指示部を更に備え、
前記期間が前記連続期間に設定され、前記交換部品が第２交換部品であると前記第１判定部が判定した場合に、前記指示部は、前記第１機能が無償で使用することが可能にされるまでの期間を前記ディスプレーに表示するように前記画像形成装置に指示する、請求項２又は請求項３に記載のサーバー装置。
【請求項６】
前記無償化部が無償で使用することを可能にする機能を前記第１機能から前記第１機能と相違する第２機能に変更する第１変更部を更に備える、請求項１から請求項５のいずれか１項に記載のサーバー装置。
【請求項７】
前記所定期間を、第１期間から前記第１期間と長さが相違する第２期間に変更する第２変更部を更に備える、請求項１から請求項６のいずれか１項に記載のサーバー装置。
【請求項８】
画像形成装置と、前記画像形成装置と通信可能に接続されたサーバー装置とを備える画像形成システムであって、
前記画像形成装置は、
消耗品を収容する交換部品が装着される装着部と、
前記消耗品を消費することによって記録媒体に画像を形成する画像形成部と、
前記装着部に装着された前記交換部品の識別情報を前記サーバー装置に送信する送信部と
を備え、
前記サーバー装置は、
前記画像形成装置から前記識別情報を受け付ける受付部と、
前記識別情報に基づいて、前記交換部品が、第１交換部品であるか、前記第１交換部品と相違する第２交換部品であるかを判定する第１判定部と、
前記第１交換部品を使用している期間を算出する算出部と、
前記期間が所定期間に到達したか否かを判定する第２判定部と、
前記画像形成装置において有償で使用することが可能な第１機能を前記第２判定部の判定結果に応じて無償で使用することを可能にする無償化部と
を備える、画像形成システム。
【発明の詳細な説明】
【技術分野】
【０００１】
本発明は、サーバー装置、及び画像形成システムに関する。
【背景技術】
【０００２】
特許文献１に記載の画像形成装置は、制御部を備える。制御部は、トナーカートリッジが純正品であるか、非純正品であるかの判別を行う。そして、制御部は、非純正品であると判別した場合には、課金方式に基づいて、印刷動作を許可するか制限するかを決定する。具体的には、制御部は、課金方式がチャージ方式である場合には、１枚も印刷することなく印刷動作を禁止する。チャージ方式は、印刷枚数に応じて課金を行う方式を示す。
【先行技術文献】
【特許文献】
【０００３】
【特許文献１】特開２００９−８７５７号公報
【発明の概要】
【発明が解決しようとする課題】
【０００４】
特許文献１に記載の画像形成装置では、トナーカートリッジが非純正品であり、且つ、課金方式がチャージ方式である場合には、１枚も印刷されることなく印刷動作が禁止されるため、ユーザーの利便性が低下する可能性がある。
【０００５】
本発明は、上記課題に鑑みてなされたものであり、ユーザーの利便性を向上可能なサーバー装置、及び画像形成システムを提供することを目的としている。
【課題を解決するための手段】
【０００６】
本発明に係るサーバー装置は、画像形成装置と通信可能に接続されたサーバー装置であって、受付部と、第１判定部と、算出部と、第２判定部と、無償化部とを備える。前記受付部は、前記画像形成装置に装着された交換部品の識別情報を前記画像形成装置から受け付ける。前記第１判定部は、前記識別情報に基づいて、前記交換部品が、第１交換部品であるか、前記第１交換部品と相違する第２交換部品であるかを判定する。前記算出部は、前記第１交換部品を使用している期間を算出する。前記第２判定部は、前記期間が所定期間に到達したか否かを判定する。前記無償化部は、前記画像形成装置において有償で使用することが可能な第１機能を前記第２判定部の判定結果に応じて無償で使用することを可能にする。前記交換部品は、消耗品を収容する。前記画像形成装置は、前記消耗品を消費することによって記録媒体に画像を形成する。
【０００７】
本発明に係る画像形成システムは、画像形成装置と、前記画像形成装置と通信可能に接続されたサーバー装置とを備える。前記画像形成装置は、装着部と、画像形成部と、送信部とを備える。前記装着部には、消耗品を収容する交換部品が装着される。前記画像形成部は、前記消耗品を消費することによって記録媒体に画像を形成する。前記送信部は、前記装着部に装着された前記交換部品の識別情報を前記サーバー装置に送信する。前記サーバー装置は、受付部と、第１判定部と、算出部と、第２判定部と、無償化部とを備える。前記受付部は、前記画像形成装置から前記識別情報を受け付ける。前記第１判定部は、前記識別情報に基づいて、前記交換部品が、第１交換部品であるか、前記第１交換部品と相違する第２交換部品であるかを判定する。前記算出部は、前記第１交換部品を使用している期間を算出する。前記第２判定部は、前記期間が所定期間に到達したか否かを判定する。前記無償化部は、前記画像形成装置において有償で使用することが可能な第１機能を前記第２判定部の判定結果に応じて無償で使用することを可能にする。
【発明の効果】
【０００８】
本発明に係るサーバー装置、及び画像形成システムによれば、ユーザーの利便性を向上できる。
【図面の簡単な説明】
【０００９】
【図１】本発明の実施形態に係る画像形成システムの構成の一例を示す図である。
【図２】本発明の実施形態に係る画像形成装置の構成の一例を示す図である。
【図３】本発明の実施形態に係る第１制御部、及び第２制御部の構成の一例を示す図である。
【図４】第１機能を無償で使用することを可能にするタイミングの一例を示す図である。（ａ）は、連続期間が所定期間以上になった場合に第１機能を無償で使用することを可能にすることを示す図である。（ｂ）は、累積期間が所定期間以上になった場合に第１機能を無償で使用することを可能にすることを示す図である。
【図５】画像形成装置のタッチパネルに表示される画面の一例を示す画面図である。（ａ）は、有効化表示画面の一例を示す画面図である。（ｂ）は、無効化表示画面の一例を示す画面図である。
【図６】第２制御部の処理の一例を示すフローチャートである。
【図７】第２制御部の処理の一例を示すフローチャートである。
【図８】第１制御部の処理の一例を示すフローチャートである。
【発明を実施するための形態】
【００１０】
以下、本発明の実施形態について、図面（図１〜図８）を参照しながら説明する。なお、図中、同一又は相当部分については同一の参照符号を付して説明を繰り返さない。
【００１１】
まず、図１を参照して、本発明の実施形態に係る画像形成システム２００の構成について説明する。図１は、画像形成システム２００の構成の一例を示す図である。図１に示すように、画像形成システム２００は、複数の画像形成装置１００と、サーバー装置７とを備える。
【００１２】
複数の画像形成装置１００は、画像形成装置１００Ａ、画像形成装置１００Ｂ及び画像形成装置１００Ｃを含む。複数の画像形成装置１００の各々は、ネットワーク８を介して、サーバー装置７と通信可能に構成される。
【００１３】
サーバー装置７は、第２制御部７０を備える。第２制御部７０は、第２プロセッサー７１及び第２記憶部７２を備える。第２プロセッサー７１は、例えばＣＰＵ（Ｃｅｎｔｒａｌ  Ｐｒｏｃｅｓｓｉｎｇ  Ｕｎｉｔ）を備える。第２記憶部７２は、半導体メモリーのようなメモリーを備え、ＨＤＤ（Ｈａｒｄ  Ｄｉｓｋ  Ｄｒｉｖｅ）を備えてもよい。第２記憶部７２は、制御プログラムを記憶している。
【００１４】
ネットワーク８は、例えばインターネットである。本発明の実施形態では、ネットワーク８がインターネットであるが、本発明はこれに限定されない。ネットワーク８は、複数の画像形成装置１００とサーバー装置７とを通信可能に接続すればよい。例えば、ネットワーク８がＬＡＮ（Ｌｏｃａｌ  Ａｒｅａ  Ｎｅｔｗｏｒｋ）でもよいし、ＷＡＮ（Ｗｉｄｅ  Ａｒｅａ  Ｎｅｔｗｏｒｋ）でもよい。
【００１５】
次に、図１及び図２を参照して、本発明の実施形態に係る画像形成装置１００の構成について説明する。図２は、画像形成装置１００の構成を示す図である。画像形成装置１００は、カラー複合機である。
【００１６】
図２に示すように、画像形成装置１００は、画像形成ユニット１、画像読取ユニット２、原稿搬送ユニット３、操作パネル１４及び第１制御部６を備える。画像形成ユニット１は、用紙Ｐに画像を形成する。画像読取ユニット２は、原稿Ｒに形成された画像を読み取り、画像情報を生成する。原稿搬送ユニット３は、原稿Ｒを画像読取ユニット２に搬送する。操作パネル１４は、ユーザーからの操作を受け付ける。第１制御部６は、画像形成装置１００の動作を制御する。
【００１７】
画像形成ユニット１は、給送部１２、搬送部Ｌ、トナー供給部１３、画像形成部４及び排出部１７を備える。画像形成部４は、転写部５及び定着部１６を含む。
【００１８】
給送部１２は、用紙Ｐを搬送部Ｌへ供給する。搬送部Ｌは、用紙Ｐを転写部５及び定着部１６を経由して排出部１７まで搬送する。用紙Ｐは、「記録媒体」の一例に相当する。
【００１９】
トナー供給部１３は、画像形成部４にトナーを供給する。トナー供給部１３には、トナーコンテナ１３１、トナーコンテナ１３２、トナーコンテナ１３３及びトナーコンテナ１３４が装着される。トナー供給部１３は、「装着部」の一例に相当する。トナーコンテナ１３１〜トナーコンテナ１３４は、「交換部品」の一例に相当する。以下の説明において、トナーコンテナ１３１〜トナーコンテナ１３４をトナーコンテナ１３０と総称する場合がある。
【００２０】
トナーコンテナ１３１には、シアン色のトナーＴＮ１が収納される。トナーコンテナ１３１は、画像形成部４にシアン色のトナーＴＮ１を供給する。トナーコンテナ１３２には、マゼンタ色のトナーＴＮ２が収納される。トナーコンテナ１３２は、画像形成部４にマゼンタ色のトナーＴＮ２を供給する。トナーコンテナ１３３には、イエロー色のトナーＴＮ３が収納される。トナーコンテナ１３３は、画像形成部４にイエロー色のトナーＴＮ３を供給する。トナーコンテナ１３４には、黒色のトナーＴＮ４が収納される。トナーコンテナ１３４は、画像形成部４に黒色のトナーＴＮ４を供給する。シアン色のトナーＴＮ１、マゼンタ色のトナーＴＮ２、イエロー色のトナーＴＮ３及び黒色のトナーＴＮ４は、「消耗品」の一例に相当する。以下の説明において、トナーＴＮ１〜トナーＴＮ４をトナーＴＮと総称する場合がある。
【００２１】
トナーコンテナ１３１は、ＩＣ（Ｉｎｔｅｇｒａｔｅｄ  Ｃｉｒｃｕｉｔ）タグＧ１を備える。ＩＣタグＧ１は、トナーコンテナ１３１の周面に配置される。ＩＣタグＧ１は、トナーコンテナ１３１の識別情報ＪＤ１を記憶する。トナーコンテナ１３２は、ＩＣタグＧ２を備える。ＩＣタグＧ２は、トナーコンテナ１３２の周面に配置される。ＩＣタグＧ２は、トナーコンテナ１３２の識別情報ＪＤ２を記憶する。
【００２２】
トナーコンテナ１３３は、ＩＣタグＧ３を備える。ＩＣタグＧ３は、トナーコンテナ１３３の周面に配置される。ＩＣタグＧ３は、トナーコンテナ１３３の識別情報ＪＤ３を記憶する。トナーコンテナ１３４は、ＩＣタグＧ４を備える。ＩＣタグＧ４は、トナーコンテナ１３４の周面に配置される。ＩＣタグＧ４は、トナーコンテナ１３４の識別情報ＪＤ４を記憶する。以下の説明において、ＩＣタグＧ１〜ＩＣタグＧ４をＩＣタグＧと総称する場合がある。また、識別情報ＪＤ１〜識別情報ＪＤ４を識別情報ＪＤと総称する場合がある。
【００２３】
トナー供給部１３には、トナーコンテナ１３１〜トナーコンテナ１３４が着脱自在である。トナー供給部１３は、リーダーＲ１、リーダーＲ２、リーダーＲ３及びリーダーＲ４を備える。
【００２４】
リーダーＲ１は、ＩＣタグＧ１からトナーコンテナ１３１の識別情報ＪＤ１を読み取る。リーダーＲ２は、ＩＣタグＧ２からトナーコンテナ１３２の識別情報ＪＤ２を読み取る。リーダーＲ３は、ＩＣタグＧ３からトナーコンテナ１３３の識別情報ＪＤ３を読み取る。リーダーＲ４は、ＩＣタグＧ４からトナーコンテナ１３４の識別情報ＪＤ４を読み取る。以下の説明において、リーダーＲ１〜リーダーＲ４を、リーダーＲＤと総称する場合がある。
【００２５】
画像形成部４は、トナーＴＮを消費することによって用紙Ｐに画像を形成する。転写部５は、中間転写ベルト１５４を備える。画像形成部４が、中間転写ベルト１５４上にシアン色、マゼンタ色、イエロー色、及び黒色のトナー像を転写する。複数色のトナー像が中間転写ベルト１５４上で重畳され、中間転写ベルト１５４上に画像が形成される。転写部５は、中間転写ベルト１５４上に形成された画像を、用紙Ｐ上に転写する。その結果、用紙Ｐに画像が形成される。
【００２６】
定着部１６は、用紙Ｐを加熱及び加圧し、用紙Ｐに形成された画像を用紙Ｐに定着する。排出部１７は、用紙Ｐを画像形成装置１００の外部に排出する。
【００２７】
操作パネル１４は、タッチパネル１４１を備える。タッチパネル１４１は、例えば、ＬＣＤ（Ｌｉｑｕｉｄ  Ｃｒｙｓｔａｌ  Ｄｉｓｐｌａｙ）を備え、種々の画像を表示する。また、タッチパネル１４１は、タッチセンサーを備え、ユーザーからの操作を受け付ける。タッチパネル１４１は、「ディスプレー」の一例に相当する。
【００２８】
第１制御部６は、第１プロセッサー６１及び第１記憶部６２を備える。第１プロセッサー６１は、例えばＣＰＵを備える。第１記憶部６２は、半導体メモリーのようなメモリーを備え、ＨＤＤを備えてもよい。第１記憶部６２は、制御プログラムを記憶している。
【００２９】
次に、図１〜図３を参照して、本発明の実施形態に係る第１制御部６及び第２制御部７０の構成について説明する。図３は、第１制御部６及び第２制御部７０の構成の一例を示す図である。
【００３０】
図３に示すように、第２制御部７０は、受付部７０１、第１判定部７０２、算出部７０３、第２判定部７０４、無償化部７０５、有償化部７０６、設定部７０７、第１変更部７０８、第２変更部７０９及び指示部７１０を備える。具体的には、第２制御部７０の第２プロセッサー７１は、制御プログラムを実行することによって、受付部７０１、第１判定部７０２、算出部７０３、第２判定部７０４、無償化部７０５、有償化部７０６、設定部７０７、第１変更部７０８、第２変更部７０９及び指示部７１０として機能する。
【００３１】
なお、設定部７０７、第１変更部７０８及び第２変更部７０９については、後述にて図４を参照して詳細に説明し、有償化部７０６及び指示部７１０については、後述にて図５（ｂ）を参照して詳細に説明する。
【００３２】
受付部７０１は、トナー供給部１３に装着されたトナーコンテナ１３０の識別情報ＪＤを画像形成装置１００から受け付ける。また、受付部７０１は、画像形成装置１００の識別情報ＪＥを画像形成装置１００から受け付ける。
【００３３】
第１判定部７０２は、識別情報ＪＤに基づいて、トナーコンテナ１３０が、第１コンテナＴＣ１であるか、第２コンテナＴＣ２であるかを判定する。第１コンテナＴＣ１は、例えば専用品のコンテナを示す。第２コンテナＴＣ２は、第１コンテナＴＣ１と相違する。第２コンテナＴＣ２は、例えば非専用品のコンテナを示す。第１コンテナＴＣ１は「第１交換部品」の一例に相当し、第２コンテナＴＣ２は「第２交換部品」の一例に相当する。
【００３４】
算出部７０３は、第１コンテナＴＣ１を使用している期間ＰＤを算出する。期間ＰＤは、例えば、第１コンテナＴＣ１を連続して使用している期間を示す。
【００３５】
第２判定部７０４は、期間ＰＤが所定期間ＰＤＡに到達したか否かを判定する。所定期間ＰＤＡは、例えば２年間である。
【００３６】
無償化部７０５は、第２判定部７０４の判定結果に応じて第１機能ＦＰ１を無償で使用することを可能にする。第１機能ＦＰ１は、画像形成装置１００において有償で使用することが可能な機能を示す。無償化部７０５は、例えば、期間ＰＤが所定期間ＰＤＡに到達したと第２判定部７０４が判定した場合に、第１機能ＦＰ１を無償で使用することを可能にする。なお、「有償で使用することが可能」とは、画像形成装置１００のユーザーに対して所定金額を課金して、ユーザーが使用できることを示す。「無償で使用することが可能」とは、画像形成装置１００のユーザーに対して課金することなく、ユーザーが使用できることを示す。
【００３７】
第１機能ＦＰ１は、例えば、「マーカースキャン機能」である。「マーカースキャン機能」とは、原稿Ｒに記載された複数の文字のうちの少なくとも１つの文字にマーカーが塗られている場合に、原稿Ｒをスキャンした際に、マーカーが塗られている文字をテキストデータとして抽出する機能を示す。
【００３８】
以上、図１〜図３を参照して説明したように、本発明の実施形態では、第１コンテナＴＣ１を使用している期間ＰＤが所定期間ＰＤＡに到達した場合に、第１機能ＦＰ１を無償で使用することを可能にする。よって、ユーザーは第１機能ＦＰ１を無償で使用できる。したがって、ユーザーの利便性を向上できる。
【００３９】
また、図３に示すように、第１制御部６は、送信部６０１、有効化部６０２、無効化部６０３及び表示部６０４を備える。具体的には、第１制御部６の第１プロセッサー６１は、制御プログラムを実行することによって、送信部６０１、有効化部６０２、無効化部６０３及び表示部６０４として機能する。なお、無効化部６０３については、後述にて図５（ｂ）を参照して詳細に説明する。
【００４０】
また、第１記憶部６２は、複数の機能ＦＰの各々に対応するアプリケーションプログラムＰＧを記憶している。機能ＦＰは、第１機能ＦＰ１と、第２機能ＦＰ２とを含む。アプリケーションプログラムＰＧは、第１プログラム６２１と、第２プログラム６２２とを含む。第１プロセッサー６１が第１プログラム６２１を実行することによって、第１機能ＦＰ１が実行される。第１プロセッサー６１が第２プログラム６２２を実行することによって、第２機能ＦＰ２が実行される。
【００４１】
アプリケーションプログラムＰＧは、初期状態では、その実行が禁止されている。アプリケーションプログラムＰＧを実行するためには、例えば、所定のキーコードを入力する必要がある。ユーザーは、タッチパネル１４１を介してキーコードを入力することによって、アプリケーションプログラムＰＧを実行することができる。キーコードは、例えば１２桁の英数字である。
【００４２】
具体的には、ユーザーと販売業者（又は、リース会社）との間で、第１機能ＦＰ１を有償で使用する旨の契約が締結された場合には、第１プログラム６２１を実行するためのキーコードＫＣ１が販売業者（又は、リース会社）からユーザーに通知される。ユーザーは、販売業者（又は、リース会社）から通知されたキーコードＫＣ１を入力することによって、第１プログラム６２１を実行することができる。
【００４３】
送信部６０１は、トナー供給部１３に装着されたトナーコンテナ１３０の識別情報ＪＤをサーバー装置７に送信する。また、送信部６０１は、画像形成装置１００の識別情報ＪＥをサーバー装置７に送信する。
【００４４】
有効化部６０２は、無償化部７０５が第１機能ＦＰ１を無償で使用することを可能にした場合に、第１機能ＦＰ１を有効化する。「有効化」とは、実行可能にすることを示す。具体的には、無償化部７０５が第１機能ＦＰ１を無償で使用することを可能にした場合に、無償化部７０５は、キーコードＫＣ１を画像形成装置１００に送信する。有効化部６０２は、第１プログラム６２１に対してキーコードＫＣ１を書き込むことによって、第１プログラム６２１を実行可能にする。このようにして、有効化部６０２は、第１機能ＦＰ１を使用することを可能にする。この場合には、ユーザーは、第１機能ＦＰ１を使用することに対して課金されない。すなわち、ユーザーは、無償で第１機能ＦＰ１を使用できる。
【００４５】
表示部６０４は、指示部７１０の指示に基づき、第１機能ＦＰ１が無償で使用することが可能にされたことをタッチパネル１４１に表示する。
【００４６】
以上、図１〜図３を参照して説明したように、本発明の実施形態では、無償化部７０５が第１機能ＦＰ１を無償で使用することを可能にした場合に、有効化部６０２は、第１機能ＦＰ１を有効化する。よって、ユーザーは第１機能ＦＰ１を無償で使用できる。したがって、ユーザーの利便性を向上できる。
【００４７】
次に、図３及び図４を参照して、第２制御部７０の構成について更に説明する。図４は、第１機能ＦＰ１を無償で使用することを可能にするタイミングの一例を示す図である。図４（ａ）は、連続期間ＰＤＳが所定期間ＰＤＡ以上になった場合に第１機能ＦＰ１を無償で使用することを可能にすることを示す図である。図４（ｂ）は、累積期間ＰＤＴが所定期間ＰＤＡ以上になった場合に第１機能ＦＰ１を無償で使用することを可能にすることを示す図である。
【００４８】
図３に示す設定部７０７は、期間ＰＤを、連続期間ＰＤＳ又は累積期間ＰＤＴに設定する。例えば、サーバー装置７の管理者の操作に基づいて、設定部７０７は、期間ＰＤを連続期間ＰＤＳ又は累積期間ＰＤＴに設定する。連続期間ＰＤＳは、第１コンテナＴＣ１を連続して使用している期間を示す。累積期間ＰＤＴは、第１コンテナＴＣ１を使用している期間の累積値を示す。
【００４９】
図４（ａ）及び図４（ｂ）の横軸は、時間Ｔを示し、図４（ａ）及び図４（ｂ）の縦軸は、トナーコンテナ１３０が、第１コンテナＴＣ１であるか、第２コンテナＴＣ２であるかを示す。
【００５０】
図４（ａ）では、設定部７０７は、期間ＰＤを連続期間ＰＤＳに設定している。図４（ａ）のグラフＧ１０に示すように、時間Ｔが零から時間Ｔ１までの間は、トナーコンテナ１３０が第１コンテナＴＣ１であり、時間Ｔ１以降では、トナーコンテナ１３０が第２コンテナＴＣ２である。時間ＴＡにおいて、連続期間ＰＤＳが所定期間ＰＤＡに到達する。時間ＴＡは、時間Ｔが零から時間Ｔ１までの間に位置する。
【００５１】
すなわち、時間ＴＡにおいて、第２判定部７０４は、連続期間ＰＤＳが所定期間ＰＤＡに到達したと判定する。そして、無償化部７０５は、第１機能ＦＰ１を無償で使用することを可能にする。
【００５２】
図４（ｂ）では、設定部７０７は、期間ＰＤを累積期間ＰＤＴに設定している。図４（ｂ）のグラフＧ２０に示すように、時間Ｔが零から時間Ｔ２１までの間は、トナーコンテナ１３０が第１コンテナＴＣ１であり、時間Ｔ２１から時間Ｔ２２までの間は、トナーコンテナ１３０が第２コンテナＴＣ２である。そして、時間Ｔ２２から時間Ｔ２３までの間は、トナーコンテナ１３０が第１コンテナＴＣ１であり、時間Ｔ２３から時間Ｔ２４までの間は、トナーコンテナ１３０が第２コンテナＴＣ２である。更に、時間Ｔ２４から時間Ｔ２５までの間は、トナーコンテナ１３０が第１コンテナＴＣ１であり、時間Ｔ２５から時間Ｔ２６までの間は、トナーコンテナ１３０が第２コンテナＴＣ２である。また、時間Ｔ２６から時間Ｔ２７までの間は、トナーコンテナ１３０が第１コンテナＴＣ１である。
【００５３】
時間ＴＢにおいて、累積期間ＰＤＴが所定期間ＰＤＡに到達する。時間ＴＢは、時間Ｔ２４から時間Ｔ２５までの間に位置する。具体的には、次の式（１）が成立する。
ＰＤＴ＝ＰＤ１＋ＰＤ２＋ＰＤ３１      （１）
期間ＰＤ１は、時間Ｔが零から時間Ｔ２１までの期間を示す。期間ＰＤ２は、時間Ｔ２２から時間Ｔ２３までの期間を示す。期間ＰＤ３１は、時間Ｔ２４から時間ＴＢまでの期間を示す。
【００５４】
すなわち、時間ＴＢにおいて、第２判定部７０４は、累積期間ＰＤＴが所定期間ＰＤＡに到達したと判定する。そして、無償化部７０５は、第１機能ＦＰ１を無償で使用することを可能にする。
【００５５】
以上、図３及び図４を参照して説明したように、本発明の実施形態では、設定部７０７が、期間ＰＤを連続期間ＰＤＳ又は累積期間ＰＤＴに設定する。期間ＰＤを累積期間ＰＤＴに設定することによって、一時的に第２コンテナＴＣ２を使用した場合であっても、累積期間ＰＤＴが所定期間ＰＤＡに到達すれば、画像形成装置１００において第１機能ＦＰ１が無償で使用することが可能にされる。よって、ユーザーは第１機能ＦＰ１を無償で使用できる。したがって、ユーザーの利便性を向上できる。
【００５６】
なお、本発明の実施形態では、無償化部７０５が、第１機能ＦＰ１を無償で使用することを可能にするが、本発明はこれに限定されない。無償化部７０５が、少なくとも１つの機能ＦＰを無償で使用することを可能にすればよい。
【００５７】
図３に示す第１変更部７０８は、無償化部７０５が無償で使用することを可能にする機能ＦＰを第１機能ＦＰ１から第２機能ＦＰ２に変更する。第２機能ＦＰ２は、第１機能ＦＰ１と相違する。例えば、無償化部７０５が第１機能ＦＰ１を無償で使用することを可能にした場合に、第１変更部７０８は、無償化部７０５が無償で使用することを可能にする機能ＦＰを第１機能ＦＰ１から第２機能ＦＰ２に変更する。
【００５８】
このようにして、無償で使用することが可能にされる機能ＦＰが第１機能ＦＰ１から第２機能ＦＰ２に変更される。よって、ユーザーは、複数の機能ＦＰを無償で使用することが可能になる。したがって、ユーザーの利便性を更に向上できる。
【００５９】
また、本発明の実施形態では、所定期間ＰＤＡが固定された期間（例えば、２年間）であるが、本発明はこれに限定されない。所定期間ＰＤＡが変更可能でもよい。
【００６０】
図３に示す第２変更部７０９は、所定期間ＰＤＡを、第１期間ＰＤＡ１から第２期間ＰＤＡ２に変更する。第２期間ＰＤＡ２は、第１期間ＰＤＡ１と長さが相違する。例えば、第１期間ＰＤＡ１は２年間であり、第２期間ＰＤＡ２は１年間である。具体的には、第２変更部７０９は、サーバー装置７の管理者の操作に基づいて、所定期間ＰＤＡを、第１期間ＰＤＡ１から第２期間ＰＤＡ２に変更する。例えば、サーバー装置７の管理者は、無償で使用することが可能になる機能ＦＰの価値に応じて、所定期間ＰＤＡを変更することが好ましい。このようにして、所定期間ＰＤＡが、第１期間ＰＤＡ１から第２期間ＰＤＡ２に変更される。したがって、無償で使用することが可能になる機能ＦＰの価値に応じて、所定期間ＰＤＡの長さを設定できる。
【００６１】
次に、図３〜図５を参照して、第２制御部７０の構成について更に説明する。図５は、画像形成装置１００のタッチパネル１４１に表示される画面の一例を示す画面図である。図５（ａ）は、有効化表示画面９００の一例を示す画面図である。
【００６２】
有効化表示画面９００は、表示部６０４によってタッチパネル１４１に表示される。具体的には、無償化部７０５が第１機能ＦＰ１を無償で使用することを可能にした場合に、指示部７１０は、有効化表示画面９００をタッチパネル１４１に表示するように表示部６０４に指示する。
【００６３】
図５（ａ）に示すように、有効化表示画面９００には、メッセージ表示部９０１、ＯＫボタン９０２及びヘルプボタン９０３が表示されている。
【００６４】
メッセージ表示部９０１には、第１機能ＦＰ１を有効化した旨のメッセージが表示される。メッセージ表示部９０１には、例えば、「第１コンテナを２年間使用したので下記機能が使用できるようになりました。」とのメッセージと、第１機能ＦＰ１の機能を示す名称である「ＡＡＡ機能」とが表示されている。「ＡＡＡ機能」は、例えば、「マーカースキャン機能」である。
【００６５】
ＯＫボタン９０２は、ユーザーが有効化表示画面９００に表示された内容を確認した場合にタッチされる。ＯＫボタン９０２がタッチされた場合には、表示部６０４は、有効化表示画面９００を非表示にする。
【００６６】
ヘルプボタン９０３は、ユーザーが有効化表示画面９００に表示された内容について質問がある場合にタッチされる。ヘルプボタン９０３がタッチされた場合には、表示部６０４は、説明画面（図示省略）を表示する。説明画面には、メッセージ表示部９０１に表示された内容に関する説明が表示される。例えば、「ＡＡＡ機能」とはどのような機能であるかの説明が表示される。また、説明画面に、サーバー装置７の管理者の連絡先を表示してもよい。
【００６７】
図５（ｂ）は、無効化表示画面９１０の一例を示す画面図である。無効化表示画面９１０は、表示部６０４によってタッチパネル１４１に表示される。具体的には、有償化部７０６が第１機能ＦＰ１を有償で使用することを可能にした場合に、指示部７１０は、無効化表示画面９１０をタッチパネル１４１に表示するように表示部６０４に指示する。
【００６８】
図５（ｂ）に示すように、無効化表示画面９１０には、メッセージ表示部９１１、ＯＫボタン９１２及びヘルプボタン９１３が表示されている。
【００６９】
メッセージ表示部９１１には、第１機能ＦＰ１を無効化した旨のメッセージが表示される。メッセージ表示部９１１には、例えば、「第２コンテナが使用されたので下記機能が使用できないようになりました。」とのメッセージと、第１機能ＦＰ１の機能を示す名称である「ＡＡＡ機能」とが表示される。
【００７０】
ＯＫボタン９１２は、ユーザーが無効化表示画面９１０に表示された内容を確認した場合にタッチされる。ＯＫボタン９１２がタッチされた場合には、表示部６０４は、無効化表示画面９１０を非表示にする。
【００７１】
ヘルプボタン９１３は、ユーザーが無効化表示画面９１０に表示された内容について質問がある場合にタッチされる。ヘルプボタン９１３がタッチされた場合には、表示部６０４は、説明画面（図示省略）を表示する。説明画面には、メッセージ表示部９１１に表示された内容に関する説明が表示される。例えば、「ＡＡＡ機能」とはどのような機能であるかの説明が表示される。また、説明画面に、サーバー装置７の管理者の連絡先を表示してもよい。
【００７２】
期間ＰＤが連続期間ＰＤＳに設定されており、第１機能ＦＰ１を無償化部７０５が無償で使用することを可能にした後に、トナーコンテナ１３０が第２コンテナＴＣ２であると第１判定部７０２が判定した場合に、図３に示す有償化部７０６は、第１機能ＦＰ１を有償で使用することを可能にする。
【００７３】
また、有償化部７０６が第１機能ＦＰ１を有償で使用することを可能にした場合に、無効化部６０３は、第１機能ＦＰ１を無効化する。具体的には、有償化部７０６が第１機能ＦＰ１を有償で使用することを可能にした場合に、有償化部７０６は、キーコードＫＣ１を第１プログラム６２１から消去する旨の指示情報を画像形成装置１００に送信する。無効化部６０３は、有償化部７０６からの指示情報に従って、第１プログラム６２１からキーコードＫＣ１を消去する。このようにして、無効化部６０３は、第１機能ＦＰ１を使用不可にする。そして、ユーザーは、無償では第１機能ＦＰ１を使用できなくなる。
【００７４】
以上、図３〜図５を参照して説明したように、本発明の実施形態では、無償化部７０５が第１機能ＦＰ１を無償で使用することを可能にした場合に、指示部７１０は、有効化表示画面９００をタッチパネル１４１に表示するように表示部６０４に指示する。よって、ユーザーは、第１機能ＦＰ１が無償で使用することが可能になったことを確認できる。したがって、ユーザーの利便性を更に向上できる。
【００７５】
また、有償化部７０６が第１機能ＦＰ１を有償で使用することを可能にした場合に、指示部７１０は、無効化表示画面９１０をタッチパネル１４１に表示するように表示部６０４に指示する。よって、ユーザーは、第１機能ＦＰ１が無償では使用できなくなったことを確認できる。したがって、ユーザーの利便性を更に向上できる。
【００７６】
更に、期間ＰＤが連続期間ＰＤＳに設定されており、第１機能ＦＰ１が無償で使用することが可能にされた後に、トナーコンテナ１３０が第２コンテナＴＣ２であると判定された場合には、第１機能ＦＰ１を有償で使用することが可能なように戻される。換言すれば、第１コンテナＴＣ１を使い続けることによって、第１機能ＦＰ１を無償で継続して使用できる。
【００７７】
なお、本発明の実施形態では、指示部７１０が、有効化表示画面９００及び無効化表示画面９１０を表示するように表示部６０４に指示するが、本発明はこれに限定されない。指示部７１０は、無効化表示画面９１０に代えて、第１コンテナＴＣ１を使い続ければ第１機能ＦＰ１を無償で継続して使用できることをタッチパネル１４１に表示するよう表示部６０４に指示してもよい。この場合には、ユーザーは、第１コンテナＴＣ１を使用すれば第１機能ＦＰ１が無償で使用することが可能なままに維持されることを確認できる。したがって、ユーザーの利便性を更に向上できる。
【００７８】
また、期間ＰＤが連続期間ＰＤＳに設定されており、第１機能ＦＰ１が無償で使用することを可能にする前に、トナーコンテナ１３０が第２コンテナＴＣ２であると第１判定部７０２が判定した場合に、第１機能ＦＰ１が無償で使用することを可能にするまでの期間をタッチパネル１４１に表示してもよい。例えば、「今後、第１コンテナを半年間使い続ければ、第１機能が無償で使用できるようになります。」とのメッセージを表示してもよい。この場合には、ユーザーは、第１機能ＦＰ１が無償で使用することが可能にされるまでの期間を確認できる。したがって、ユーザーの利便性を更に向上できる。
【００７９】
次に、図３〜図７を参照して、第２制御部７０の処理について説明する。図６及び図７は、第２制御部７０の処理の一例を示すフローチャートである。
図６に示すように、ステップＳ２０１において、受付部７０１は、トナーコンテナ１３０の識別情報ＪＤと、画像形成装置１００の識別情報ＪＥとを画像形成装置１００から受け付けたか否かを判定する。
識別情報ＪＤと識別情報ＪＥとを受け付けていないと受付部７０１が判定した場合（ステップＳ２０１でＮＯ）には、処理が待機状態になる。識別情報ＪＤと識別情報ＪＥとを受け付けたと受付部７０１が判定した場合（ステップＳ２０１でＹＥＳ）には、処理がステップＳ２０３に進む。
そして、ステップＳ２０３において、第１判定部７０２は、識別情報ＪＤに基づいて、トナーコンテナ１３０が第１コンテナＴＣ１であるか否かを判定する。
トナーコンテナ１３０が第１コンテナＴＣ１ではないと第１判定部７０２が判定した場合（ステップＳ２０３でＮＯ）には、処理が図７に示すステップＳ２１１に進む。トナーコンテナ１３０が第１コンテナＴＣ１であると第１判定部７０２が判定した場合（ステップＳ２０３でＹＥＳ）には、処理がステップＳ２０５に進む。
【００８０】
そして、ステップＳ２０５において、無償化部７０５は、期間ＰＤが所定期間ＰＤＡに到達したか否かを判定する。期間ＰＤは、第１コンテナＴＣ１を連続して使用している期間を示す。
期間ＰＤが所定期間ＰＤＡに到達していないと無償化部７０５が判定した場合（ステップＳ２０５でＮＯ）には、処理がステップＳ２０１にリターンされる。期間ＰＤが所定期間ＰＤＡに到達したと無償化部７０５が判定した場合（ステップＳ２０５でＹＥＳ）には、処理がステップＳ２０７に進む。
そして、ステップＳ２０７において、無償化部７０５は、第１機能ＦＰ１を無償で使用することを可能にする。
次に、ステップＳ２０９において、無償化部７０５は、第１機能ＦＰ１を無償で使用することを可能にする旨の指示情報を、識別情報ＪＥに対応する画像形成装置１００に対して送信し、処理がステップＳ２０１にリターンされる。
【００８１】
ステップＳ２０３でＮＯの場合には、図７に示すように、ステップＳ２１１において、有償化部７０６は、第１機能ＦＰ１が無償で使用することが可能にされているか否かを判定する。具体的には、有償化部７０６は、第１機能ＦＰ１を無償で使用することを可能にする処理が無償化部７０５によって実行されたか否かを判定する。
第１機能ＦＰ１が無償で使用することが可能にされていないと有償化部７０６が判定した場合（ステップＳ２１１でＮＯ）には、処理が図６のステップＳ２０１にリターンされる。第１機能ＦＰ１が無償で使用することが可能にされていると有償化部７０６が判定した場合（ステップＳ２１１でＹＥＳ）には、処理がステップＳ２１３に進む。
そして、ステップＳ２１３において、有償化部７０６が、第１機能ＦＰ１を有償で使用することを可能にする。
次に、ステップＳ２１５において、有償化部７０６が、第１機能ＦＰ１を有償で使用することを可能にする旨の指示情報を、識別情報ＪＥに対応する画像形成装置１００に対して送信し、処理がステップＳ２０１にリターンされる。
【００８２】
次に、図３〜図８を参照して、第１制御部６の処理について説明する。図８は、第１制御部６の処理の一例を示すフローチャートである。
図８に示すように、まず、ステップＳ１０１において、第１制御部６は、トナー供給部１３にトナーコンテナ１３０が装着されたか否かを判定する。
トナー供給部１３にトナーコンテナ１３０が装着されていないと第１制御部６が判定した場合（ステップＳ１０１でＮＯ）には、処理が待機状態になる。トナー供給部１３にトナーコンテナ１３０が装着されたと第１制御部６が判定した場合（ステップＳ１０１でＹＥＳ）には、処理がステップＳ１０３に進む。
次に、ステップＳ１０３において、第１制御部６は、リーダーＲＤを介して、トナーコンテナ１３０の識別情報ＪＤを取得する。
次に、ステップＳ１０５において、第１制御部６は、画像形成装置１００の識別情報ＪＥを第１記憶部６２から読み出す。
次に、ステップＳ１０７において、送信部６０１は、識別情報ＪＤ及び識別情報ＪＥをサーバー装置７に送信する。
【００８３】
次に、ステップＳ１０９において、有効化部６０２は、第１機能ＦＰ１を無償で使用することを可能にする旨の指示情報を受信したか否かを判定する。
第１機能ＦＰ１を無償で使用することを可能にする旨の指示情報を受信していないと有効化部６０２が判定した場合（ステップＳ１０９でＮＯ）には、処理がステップＳ１１５に進む。第１機能ＦＰ１を無償で使用することを可能にする旨の指示情報を受信したと有効化部６０２が判定した場合（ステップＳ１０９でＹＥＳ）には、処理がステップＳ１１１に進む。
そして、ステップＳ１１１において、有効化部６０２は、第１機能ＦＰ１を有効化する。
次に、ステップＳ１１３において、表示部６０４は、有効化表示画面９００をタッチパネル１４１に表示する。
【００８４】
次に、ステップＳ１１５において、無効化部６０３は、第１機能ＦＰ１を有償で使用することを可能にする旨の指示情報を受信したか否かを判定する。
第１機能ＦＰ１を有償で使用することを可能にする旨の指示情報を受信していないと無効化部６０３が判定した場合（ステップＳ１１５でＮＯ）には、処理がステップＳ１０１にリターンする。第１機能ＦＰ１を有償で使用することを可能にする旨の指示情報を受信したと無効化部６０３が判定した場合（ステップＳ１１５でＹＥＳ）には、処理がステップＳ１１７に進む。
そして、ステップＳ１１７において、無効化部６０３は、第１機能ＦＰ１を無効化する。
次に、ステップＳ１１９において、表示部６０４は、無効化表示画面９１０をタッチパネル１４１に表示し、処理がステップＳ１０１にリターンする。
【００８５】
以上、図３〜図８を参照して説明したように、本発明の実施形態では、第１コンテナＴＣ１を使用している期間ＰＤが所定期間ＰＤＡに到達した場合に、第１機能ＦＰ１を無償で使用することを可能にする。よって、ユーザーは第１機能ＦＰ１を無償で使用できる。したがって、ユーザーの利便性を向上できる。
【００８６】
なお、本発明の実施形態では、サーバー装置７の管理者が第１機能ＦＰ１を決定するが、本発明はこれに限定されない。サーバー装置７が第１機能ＦＰ１の複数の候補を画像形成装置１００に送信し、画像形成装置１００のユーザー（又は、管理者）が第１機能ＦＰ１の複数の候補の中から１つの第１機能ＦＰ１を決定してもよい。この場合には、ユーザーの利便性を更に向上できる。
【００８７】
また、サーバー装置７が、画像形成装置１００の使用実績に基づいて、第１機能ＦＰ１の複数の候補を選択することが好ましい。例えば、画像形成装置１００におけるプリント処理の実行頻度が他の処理と比較して高い場合には、サーバー装置７が、プリント処理に関連する第１機能ＦＰ１の複数の候補を選択することが好ましい。
【００８８】
プリント処理に関連する第１機能ＦＰ１としては、例えば、「タップ印刷機能」を含む。「タップ印刷機能」とは、スマートフォンからのプリント処理に関する指示を「近距離通信」で受け付ける機能を示す。近距離通信は、スマートフォンと画像形成装置１００との通信を、例えば、ブルートゥース（登録商標）を介して実行する。
【００８９】
また、例えば、画像形成装置１００におけるスキャン処理の実行頻度が他の処理と比較して高い場合には、サーバー装置７が、スキャン処理に関連する第１機能ＦＰ１の複数の候補を選択することが好ましい。
【００９０】
スキャン処理に関連する第１機能ＦＰ１としては、「マーカースキャン機能」、及び「名刺データ作成機能」を含む。「マーカースキャン機能」については、図３を参照して説明した。「名刺データ作成機能」とは、名刺をスキャンして、名刺データを生成する機能を示す。名刺には、会社名、部署名、役職名、会社の所在地、氏名、電話番号、及びファクシミリ番号が記載されている。「名刺データ作成機能」は、名刺をスキャンして得られた名刺画像データにＯＣＲ（Ｏｐｔｉｃａｌ  Ｃｈａｒａｃｔｅｒ  Ｒｅｃｏｇｎｉｔｉｏｎ）処理を施し、テキストデータを生成する。また、「名刺データ作成機能」は、テキストデータから、会社名、部署名、役職名、会社の所在地、氏名、電話番号、及びファクシミリ番号の各々に対応するデータを抽出して、名刺データを生成する。
【００９１】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（３））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であって、特に限定されるものではなく、本発明の構成から実質的に逸脱しない範囲で種々の変更が可能である。
【００９２】
（１）図１〜図３を参照して説明したように、本発明の実施形態では、「消耗品」がトナーＴＮであり、「交換部品」がトナーコンテナ１３０であるが、本発明はこれに限定されない。「消耗品」を消費することによって用紙Ｐに画像を形成すればよい。例えば、「消耗品」がインクであり、「交換部品」がインクカートリッジでもよい。この場合には、「画像形成装置」は、インクジェット記録装置である。
【００９３】
（２）図１〜図３を参照して説明したように、本発明の実施形態では、画像形成装置１００がカラー複合機であるが、本発明はこれに限定されない。画像形成装置１００が用紙Ｐに画像を形成すればよい。例えば、画像形成装置１００がモノクロの複合機でもよいし、画像形成装置１００がカラープリンターでもよい。
【００９４】
（３）図１〜図３を参照して説明したように、本発明の実施形態では、トナーコンテナ１３０が第１コンテナＴＣ１であるか、第２コンテナＴＣ２であるかをサーバー装置７の第２制御部７０が判定するが、本発明はこれに限定されない。画像形成装置１００の第１制御部６及びサーバー装置７の第２制御部７０のいずれか一方が、トナーコンテナ１３０が第１コンテナＴＣ１であるか、第２コンテナＴＣ２であるかを判定すればよい。例えば、画像形成装置１００の第１制御部６が、トナーコンテナ１３０が第１コンテナＴＣ１であるか、第２コンテナＴＣ２であるかを判定してもよい。
【産業上の利用可能性】
【００９５】
本発明は、サーバー装置、及び画像形成システムの分野に利用可能である。
【符号の説明】
【００９６】
２００    画像形成システム
１００、１００Ａ、１００Ｂ、１００Ｃ    画像形成装置
１    画像形成ユニット
４    画像形成部
１３    トナー供給部（装着部）
１３０、１３１〜１３４    トナーコンテナ（交換部品）
Ｇ、Ｇ１〜Ｇ４    ＩＣタグ
ＲＤ、Ｒ１〜Ｒ４    リーダー
ＴＮ、ＴＮ１〜ＴＮ４    トナー
１４    操作パネル
１４１    タッチパネル（ディスプレー）
６    第１制御部
６１    第１プロセッサー
６０１    送信部
６０２    有効化部
６０３    無効化部
６０４    表示部
６２    記憶部
６２１    第１プログラム
６２２    第２プログラム
２    画像読取ユニット
３    原稿搬送ユニット
７    サーバー装置
７０    第２制御部
７１    第２プロセッサー
７０１    受付部
７０２    第１判定部
７０３    算出部
７０４    第２判定部
７０５    無償化部
７０６    有償化部
７０７    設定部
７０８    第１変更部
７０９    第２変更部
７１０    指示部
７２    第２記憶部
【図１】
2019075731.tif 000003
【図２】
2019075731.tif 000004
【図３】
2019075731.tif 000005
【図４】
2019075731.tif 000006
【図５】
2019075731.tif 000007
【図６】
2019075731.tif 000008
【図７】
2019075731.tif 000009
【図８】
2019075731.tif 000010